(57)【特許請求の範囲】
【請求項１】
容器の口筒部に装着される下キャップと、下キャップにばねにより弾装される上キャップと、上キャップの上部に開閉自在に装着される上蓋とからなるキャップにおいて、
下キャップは、上壁と、上壁の内縁部に立設された係合内筒と、上壁の外縁部に垂設され、内周が容器の口筒部外周に係合する外筒を具え、
上キャップは、上壁と、上壁の内縁部に連設される計量部と、上壁の下面に垂設され、内周が下キャップの係合内筒の外周に係合する係合筒を具え、
計量部は、注出筒と、注出筒の下端から縮径され、外周が下キャップの係合内筒の内周に摺動可能に挿入される計量筒部と、計量筒部の下端に連設される計量室とを具え、
計量筒部には、計量室の上方から所定の高さの開口が穿設されていることを特徴とする計量キャップ。
【請求項２】
開口は、キャップの平常時に、上端と下端が、下キャップの係合内筒の内周に位置して流路を塞ぎ、上キャップの押圧時に、少なくとも下端より上方が、下キャップの係合内筒内周の下端より下方に位置し、容器本体と計量部内との流路を開設するように形成されていることを特徴とする請求項１記載の計量キャップ。
【請求項３】
下キャップの係合内筒の外周上端に係合突条を設け、
上キャップの係合筒内周下端に係合突条を設け、
互いの係合突条が係合することで下キャップに対する上キャップの抜け落ちを防止するようにしていることを特徴とする請求項１または請求項２記載の計量キャップ。
【発明の詳細な説明】
【技術分野】
【０００１】
本発明は、計量キャップ、とくに、容器本体の内容液を計量し、計量した内容液のみを注出する計量キャップに関するものである。
【背景技術】
【０００２】
内容液を充填した容器本体の口筒部に装着するキャップにおいて、容器を倒立してキャップの計量室に容器本体内の内容液を充填し、容器を正立に戻して余計な液を容器内に戻した後、容器を傾けて計量した液のみを注出するようにした計量キャップは従来より知られている（例えば、特許文献１参照）。
【特許文献１】特開２００１−１０６２７４号公報
【発明の開示】
【発明が解決しようとする課題】
【０００３】
上記特許文献１記載の計量キャップでは、計量室内に配置した弁体の倒立または正立時の移動により、計量室と注出筒との流路を開閉して、余計な内容液が外に出ないようにしている。
しかしながら、容器が横に倒れた場合、弁体が移動してしまい、流路が開いた状態となり、流路を介して内容液が注出筒より外に漏れ出るという問題があった。
【０００４】
本発明は、上記問題を解決することを課題とし、容器を倒立した後、正立して内容液を計量し、容器を傾け、計量した内容液のみを注出でき、また、容器を不用意に倒したとしても、容器から液が漏れ出ることを防止することができる計量キャップを提供することを目的とする。
【課題を解決するための手段】
【０００５】
本発明は、上記の課題を解決するため、計量キャップとして、容器の口筒部に装着される下キャップと、下キャップにばねにより弾装される上キャップと、上キャップの上部に開閉自在に装着される上蓋とからなるキャップにおいて、下キャップは、上壁と、上壁の内縁部に立設された係合内筒と、上壁の外縁部に垂設され、内周が容器の口筒部外周に係合する外筒を具え、上キャップは、上壁と、上壁の内縁部に連設される計量部と、上壁の下面に垂設され、内周が下キャップの係合内筒の外周に係合する係合筒を具え、計量部は、注出筒と、注出筒の下端から縮径され、外周が下キャップの係合内筒の内周に摺動可能に挿入される計量筒部と、計量筒部の下端に連設される計量室とを具え、計量筒部には、計量室の上方から所定の高さの開口が穿設されていることを特徴とする構成を採用する。
【０００６】
開口の実施例として、開口は、キャップの平常時に、上端と下端が、下キャップの係合内筒の内周に位置して流路を塞ぎ、上キャップの押圧時に、少なくとも下端より上方が、下キャップの係合内筒内周の下端より下方に位置し、容器本体と計量部内との流路を開設するように形成されていることを特徴とする構成を採用する。
【０００７】
下キャップと上キャップの実施例として、下キャップの係合内筒の外周上端に係合突条を設け、上キャップの係合筒内周下端に係合突条を設け、互いの係合突条が係合することで下キャップに対する上キャップの抜け落ちを防止するようにしていることを特徴とする構成を採用する。
【発明の効果】
【０００８】
計量キャップにおいて、容器本体の口筒部に装着される下キャップと、下キャップにばねにより弾装されるとともに計量部を形成する上キャップと、上蓋とからなり、容器を倒立しながら上蓋を押し込むことにより、容器本体から計量部への流路が形成され、内容液を計量部内に流し込み、次に、上蓋を押し込みながら容器を正立に戻すことにより、計量部内の余った液を容器本体内に戻し、正確に計量することができる。
上蓋の押し込みを外すと、上キャップがばねにより上昇し、容器本体から計量部への流路が閉鎖され、容器を倒しても容器本体から計量部内に内容液が流れ込むことを防止することができ、上蓋を開蓋し、容器を傾けると計量部で計量した内容液のみを注出することができる。
【発明を実施するための最良の形態】
【０００９】
次に、本発明のキャップ付きの容器について、図面を参照して説明する。
図１において、Ａは容器本体、Ｂは容器本体Ａに装着される下キャップ、Ｃは下キャップＢに上下動可能に装着される上キャップ、Ｄは上キャップＣと下キャップＢの間に弾装されるばね、Ｅは上キャップＣの上部に開閉自在に装着される上蓋である。
【００１０】
容器本体Ａの口筒部１の外周には、下キャップを装着する係合部２が設けられている。
【００１１】
下キャップＢは、図１、２に示すように、リング状の上壁５と、上壁５の内縁に立設された係合内筒６と、上壁５の上面に立設され、外周にばねＤの下部を装着する係合突部７と、上壁５の上面の外縁付近に立設された係合外筒８と、上壁５の下面に垂設され、容器本体Ａの口筒部１内周に挿入される係合筒９と、上壁５外縁に垂設される外筒１０とからなっている。
【００１２】
係合内筒６の上端には、上キャップＣに係合し、容器内を密閉するパッキンなどの密閉部材Ｐが装着され、外周上端には、上キャップＣの抜け落ちを防止する係合突条１１が設けられている。
【００１３】
外筒１０の内周下部には、容器本体Ａの口筒部１の係合部２に係合する係合部１２が配設されている。
【００１４】
上キャップＣは、図１、３に示すように、リング状の上壁１５と、上壁１５の内縁に連設される計量部１６と、上壁１５の下面に垂設され、内周が下キャップＢの係合内筒６の外周に係合されるとともに、外周にばねＤの上部を装着する係合筒１７と、上壁１５の下面外縁に垂設され、内周が下キャップＢの係合外筒８外周に係合する係合外筒１８とからなっている。
【００１５】
上壁１５の上面外縁には、上蓋Ｅと係合する係合段部１９が形成され、上壁１５の外縁の所定の位置には、ヒンジ２０を介して上蓋Ｅが開閉自在に装着されている。
【００１６】
計量部１６は、上壁１５より上方に突設される注出筒２１と、注出筒２１の下端から段部２２を介して縮径され、外周が下キャップＢの係合内筒６および密閉部材Ｐの内周に摺動可能に挿入される計量筒部２３と、計量筒部２３の下端に連設されるドーム型の計量室２４とを具えている。
【００１７】
計量筒部２３には、計量室２４の上方から所定の高さまでの開口２５が対角に二つ穿設されている。
開口２５は、キャップの平常時に、図１に示すように、上端２５ａと下端２５ｂが、下キャップＢの係合内筒６の内周に位置して流路を塞ぎ、上キャップＣの押圧時に、図４に示すように、少なくとも下端２５ｂより上方が、下キャップＢの係合内筒６内周の下端より下方に位置し、容器本体Ａと計量部１６内との流路を開設するように形成されている。
【００１８】
係合筒１７の内周下端には、下キャップＢの係合内筒６の係合突条１１下部と上部が係合し、上キャップＣの抜け落ちを防止する係合突条２６が設けられている。
【００１９】
上蓋Ｅは、頂壁３０と、頂壁３０下面に垂設され、外周が上キャップＣの計量部１６の注出筒部２１内周に係合する密閉筒３１と、頂壁３０の外縁に垂設される係合外筒３２とからなっている。
【００２０】
係合外筒３２の内周下端は、上キャップＣの上壁１５の係合段部１９に係合するようになっており、外周下端には、ヒンジ２０が連設され、外周下端のヒンジ２０の反対側には、指かけ部３３が設けられている。
【００２１】
次に、本実施形態の容器の作用効果について説明する。
本実施形態の容器は、図１に示すように、ばねＤの弾性により、上キャップＣが下キャップＢに対して上方に付勢されているとともに、係合筒１７の係合突条２６と、係合内筒６の係合突条１１とが係合し、上キャップＣが下キャップＢから外れることを防止している。
【００２２】
また、上キャップＣの計量部１６の計量筒部２３の開口２５が、下キャップＢの係合内筒６の内周に位置し、流路を塞いでいるので、不用意に容器が倒れても、容器本体Ａ内の内容液が上キャップＣの計量部１６内方に侵入することを防止している。
【００２３】
内容液を使用する際には、図４（ａ）に示すように、容器自体を倒立しながら、上蓋Ｅの頂壁３０を押圧し、上蓋Ｅおよび上キャップＣを下キャップＢに対して押し込む。
【００２４】
上キャップＣを押し込むと、上キャップＣの計量部１６が下キャップＢの係合内筒６内周で移動し、計量部１６の計量筒部２３の開口２５が係合内筒６の内周と係合する位置から外れ、流路を開設し、開口２５を介して計量部１６内に容器本体Ａ内の内容液が流れ込み、充填される。
【００２５】
次に、上キャップＣを下キャップＢに対して押し込んだまま、図４（ｂ）に示すように、容器自体をすみやかに正立に戻す。
【００２６】
正立に戻すと、計量部１６内に充填された内容液が計量室２４側に移動し、余った内容液が開口２５から容器本体Ａ内に戻されるので、計量室２４で内容液が計量される。
【００２７】
次に、上蓋Ｅの頂壁３０の押圧を外すと、ばねＤの弾性により、図５（ａ）に示すように、上キャップＣが計量室２４内で計量した内容液とともに上昇する。
上キャップＣが上昇すると、計量部１６の開口２５が、下キャップＢの係合内筒６の内周に位置し、流路を塞ぐので、計量部１６内の内容液の増減を防止することができる。
【００２８】
最後に、上蓋Ｅの指かけ部３３に指などをかけて持ち上げ、上キャップＣから上蓋Ｅを開蓋し、図５（ｂ）に示すように、容器自体を傾けると、上キャップＣの計量部１６内の計量された内容液が、注出筒部２１から注出される。
【００２９】
本発明の容器は、ばねＤによる付勢により、上キャップＣの計量部１６内と容器本体Ａ内との流路を塞いでいるので、容器自体を傾けても、計量部１６内の計量された内容液以外の内容液の注出を防止できる。
【００３０】
また、内容液を計量しないで注出する際には、上蓋Ｅを開蓋し、容器自体を傾けるとともに、上キャップＣを下キャップＢに対して押し込む。
上キャップＣを押し込むと、上キャップＣの計量部１６の開口２５と、下キャップＢの係合内筒６の内周との係合が外れ、流路が開設されるので、容器本体Ａ内の内容液を計量部１６の側内周を介して注出筒部２１から直接外に注出することができる。
【００３１】
容器の使用を繰り返し、上キャップＣの計量筒部２３外周と係合内筒６内周との間に隙間ができても、下キャップＢの係合内筒６の上端部に密封部材Ｐを装着しているので、隙間から液が外に漏れ出ることを防止している。
【００３２】
上記実施形態では、上キャップＣの計量部１６の計量室２４をドーム状に形成したが、計量室２４は、所定の容積があればよいので、その形状はどのようなものでもよい。
【００３３】
上記実施形態では、上キャップＣと上蓋Ｅをヒンジ２０を介して連設しているが、別にヒンジで連設せず、それぞれ別体で開閉蓋するものでもよい。
【産業上の利用可能性】
【００３４】
本発明は、容器を倒立させ、上キャップを押し込み、すみやかに容器を正立に戻すことによって上キャップの計量部で内容液を正確に計量し、計量した内容液のみを安定して利用することができるので、容器本体の口筒部に装着する計量キャップとして、広く利用することができる。
また、口筒部の形状が合えば、容器本体のみを取り替えて使用することができるので、詰め替え用のキャップとしても、広く利用することができる。
【図面の簡単な説明】
【００３５】
【図１】本発明の計量キャップの断面立面図である。
【図２】下キャップの一部断面説明図である。
【図３】上キャップと上蓋の説明図で、（ａ）は断面立面図、（ｂ）は右側面図である。
【図４】計量キャップの上蓋の押圧時の説明図で、（ａ）は容器倒立時、（ｂ）は容器正立時である。
【図５】計量キャップの計量後の説明図で、（ａ）は上蓋の押圧を外した時の容器正立時、（ｂ）は内容液使用時である。
【符号の説明】
【００３６】
Ａ            容器本体
Ｂ            下キャップ
Ｃ            上キャップ
Ｄ            ばね
Ｅ            上蓋
Ｐ            密閉部材
ａ            計量室部
１            口筒部
２、１２      係合部
５、１５      上壁
６            係合内筒
７            係合突部
８、１８      係合外筒
９、１７      係合筒
１０          外筒
１１          係合突条
１６          計量部
１９、２６    係合段部
２０          ヒンジ
２１          注出筒部
２２          段部
２３          計量筒部
２４          計量室
２５          開口
２５ａ        上端
２５ｂ        下端
３０          頂壁
３１          密閉筒
３２          係合外筒
３３          指かけ部
【図１】
0005101342.tif 000002
【図２】
0005101342.tif 000003
【図３】
0005101342.tif 000004
【図４】
0005101342.tif 000005
【図５】
0005101342.tif 000006